(57)【要約】【課題】自動回収システムが設けられた遊技場及び設けられていない遊技場のどちらであっても相互に転用して設置できる汎用性の高い遊技機を提供すること。【解決手段】遊技機のキャビネット６０の底部６０１にはこの底部６０１を貫通しメダルを筐体外部へ排出可能な排出孔６０２が形成され、キャビネット６０の底部６０１のうちこの排出孔６０２と対向する位置には、バケットで収容不能となったメダルを収容する補助収納庫６５が設けられ、この補助収納庫６５の底部６５１には、この底部６５１を貫通しメダルを排出可能な排出孔６５２が形成されると共に、この排出孔６５２を開閉可能なシャッタ６４が設けられる。【選択図】図４
2008264436.tif 000002
【特許請求の範囲】
【請求項１】
遊技に必要な複数種類の図柄を変動表示する図柄表示手段と、
遊技者が遊技媒体を投入可能な遊技媒体受付部と、
前記遊技媒体受付部に遊技媒体が投入されたことを条件に、開始操作に応じて前記図柄表示手段による図柄の変動表示を開始する開始制御手段と、
停止操作に応じて前記図柄表示手段における図柄の変動表示を停止する停止制御手段と、
前記図柄表示手段において停止表示された図柄の組合せに応じて所定の数の遊技媒体を払い出す遊技媒体払出手段と、
これら手段が設けられた筐体と、を備える遊技機であって、
前記遊技媒体払出手段は、遊技媒体を収容する収容容器と、当該収容容器に収容された遊技媒体から所定の数の遊技媒体を払い出す遊技媒体払出部と、を備え、
前記筐体の底部には当該底部を貫通し遊技媒体を前記筐体外部へ排出可能な筐体貫通孔が形成され、
前記筐体の底部のうち前記筐体貫通孔と対向する位置には、前記収容容器で収容不能となった遊技媒体を収容する補助収容容器が設けられ、
前記補助収容容器の底部には、当該底部を貫通し遊技媒体を排出可能な補助容器貫通孔が形成されると共に、当該補助容器貫通孔を開閉可能な遮断部が設けられることを特徴とする遊技機。
【請求項２】
前記補助収容容器には、
前記補助容器貫通孔を開いた状態で前記遮断部を固定する開状態固定部と、
前記補助容器貫通孔を閉じた状態で前記遮断部を固定する閉状態固定部と、が設けられることを特徴とする請求項１に記載の遊技機。
【請求項３】
前記遮断部は略板状であり、
前記補助収容容器には、前記遮断部の一端部を回動可能に支持する支持部が設けられることを特徴とする請求項１又は２に記載の遊技機。
【発明の詳細な説明】
【技術分野】
【０００１】
本発明は、遊技機に関する。
【背景技術】
【０００２】
例えば、停止ボタンを備えたスロットマシン、いわゆるパチスロ機は、正面の表示窓内に複数の図柄を表示する機械的回転リールを複数配列して構成した変動表示装置、あるいはリール上の図柄を画面に表示する電気的変動表示装置を有する。遊技者のスタート操作に応じて、制御手段が変動表示装置を駆動して各リールを回転させることにより、図柄を変動表示させ、一定時間後自動的にあるいは遊技者の停止操作により、各リールの回転を順次停止させる。このとき、表示窓内に現れた各リールの図柄が特定の組合せ（入賞図柄）になった場合にコイン、メダル等の遊技媒体を払い出すことで遊技者に利益を付与するものである。
【０００３】
現在主流の機種は、複数種類の入賞態様を有するものである。特に、所定の役の入賞が成立したときは、１回のコインの払い出しに終わらず、所定期間、通常の状態よりも条件の良い遊技状態となる。このような役として、遊技者に相対的に大きい利益を与えるゲームが所定回数行える役（「ビッグボーナス」と称し、以下「ＢＢ」と略記する）と、遊技者に相対的に小さい利益を与える遊技を所定ゲーム数行える役（「レギュラーボーナス」と称し、以下「ＲＢ」と略記する）がある。
【０００４】
また、現在主流の機種においては、有効化された成立ライン（以下「有効ライン」という）に沿って所定の図柄の組合せが並び、コイン、メダル等が払い出される入賞が成立するには、内部的な抽籤処理（以下「内部抽籤」という）により役に当籤（以下「内部当籤」という）し、かつその内部当籤した役（以下「内部当籤役」という）の入賞成立を示す図柄の組合せを有効ラインに停止できるタイミングで遊技者が停止操作を行うことが要求される。つまり、いくら内部当籤したとしても、遊技者の停止操作のタイミングが悪いと入賞を成立させることができない。すなわち、停止操作のタイミングに熟練した技術が要求される（「目押し」といわれる技術介入性の比重が高い）遊技機が現在の主流である。
【０００５】
ところで、上述のような遊技機の筐体内部には、メダルを貯留するホッパーが設けられている。より具体的には、このホッパーは、遊技者により投入されたメダルを収容するバケットと、バケットの下部に接続され、バケットに収容されたメダルから所定の枚数のメダルを排出する排出機構が設けられた基台とを備えている。またさらに、バケットから溢れたメダルを収容する補助収納庫が、バケットの下方に位置するように設けられており、これにより、筐体内部にメダルが散乱するのを防止している（例えば、特許文献１参照）。
【０００６】
また、このような遊技機が複数設置される遊技場には、補助収納庫内のメダルを自動的に回収したり、メダルをバケット内に自動的に補給したりする自動回収システムが設けられた遊技場がある。このような自動回収システムが設けられた遊技場に遊技機を設置することにより、補助収納庫からメダルが溢れて筐体内部に散乱したり、バケット内のメダルが無くなったりするのを未然に防いで、遊技が強制的に中断してしまうのを防止できる。
【特許文献１】特開２００７−５０２号公報
【発明の開示】
【発明が解決しようとする課題】
【０００７】
ところで、上述のような自動回収システムに遊技機を接続するには、遊技機に加工を施す必要がある。具体的には、例えば、自動回収システムにより補助収納庫内のメダルを自動的に回収するには、補助収納庫の底部に貫通孔を形成する必要がある。このような加工を施すことにより、筐体の底部に予め空けられた排出孔を介して、補助収納庫内のメダルを自動的に回収することが可能となる。
【０００８】
一方、自動回収システムが設けられていない遊技場に遊技機を設置する場合には、バケットから溢れたメダルを補助収納庫に溜めておく必要があるため、上述のような補助収納この貫通孔は不必要となる。このため、上述のような従来の遊技機では、自動回収システムが設けられた遊技場に設置された遊技機を、自動回収システムが設けられていない遊技場に再設置することが困難であった。
【０００９】
本発明は、上述の課題に鑑みてなされたものであり、自動回収システムが設けられた遊技場及び設けられていない遊技場のどちらであっても相互に転用して設置できる汎用性の高い遊技機を提供することを目的とする。
【課題を解決するための手段】
【００１０】
本発明では、以下のようなものを提供する。
【００１１】
（１）遊技に必要な複数種類の図柄を変動表示する図柄表示手段（例えば、後述のリール３Ｌ，３Ｃ，３Ｒ）と、遊技者が遊技媒体（例えば、後述のメダル又はコイン）を投入可能な遊技媒体受付部（例えば、後述のメダル投入口２２）と、前記遊技媒体受付部に遊技媒体が投入されたことを条件に、開始操作（例えば、後述のスタートレバー６の操作）に応じて前記図柄表示手段による図柄の変動表示を開始する開始制御手段（例えば、後述の主制御回路７１１、及びＣＰＵ３１）と、停止操作に応じて前記図柄表示手段における図柄の変動表示を停止する停止制御手段（例えば、後述の主制御回路７１１、及びＣＰＵ３１）と、前記図柄表示手段において停止表示された図柄の組合せに応じて所定の数の遊技媒体を払い出す遊技媒体払出手段（例えば、後述のホッパー６７）と、これら手段が設けられた筐体（例えば、後述の筐体４）と、を備える遊技機であって、前記遊技媒体払出手段は、遊技媒体を収容する収容容器（例えば、後述のバケット６８）と、当該収容容器に収容された遊技媒体から所定の数の遊技媒体を払い出す遊技媒体払出部（例えば、後述の基台６９）と、を備え、前記筐体の底部（例えば、後述のキャビネット６０の底部６０１）には当該底部を貫通し遊技媒体を前記筐体外部へ排出可能な筐体貫通孔（例えば、後述の排出孔６０２）が形成され、前記筐体の底部のうち前記筐体貫通孔と対向する位置には、前記収容容器で収容不能となった遊技媒体（例えば、後述のバケット６８の排出口６８３から排出されたメダル）を収容する補助収容容器（例えば、後述の補助収納庫６５）が設けられ、前記補助収容容器の底部（例えば、後述の補助収納庫６５の底部６５１）には、当該底部を貫通し遊技媒体を排出可能な補助容器貫通孔（例えば、後述の補助収納庫６５の排出孔６５２）が形成されると共に、当該補助容器貫通孔を開閉可能な遮断部（例えば、後述のシャッタ６４）が設けられることを特徴とする遊技機（例えば、後述の遊技機１）。
【００１２】
（１）記載の遊技機によれば、補助収容容器の底部に、この底部を貫通し遊技媒体を排出可能な補助容器貫通孔を形成すると共に、この補助収容容器貫通孔を開閉する遮断部を設けた。例えば、自動回収システムが設けられた遊技場に遊技機を設置する場合には、補助容器貫通孔を開いた状態で遊技機を設置することにより、補助収容容器内の遊技媒体を、補助容器貫通孔及び筐体貫通孔を介して、自動回収システムにより回収させることができる。また例えば、自動回収システムが設けられていない遊技場に遊技機を設置する場合には、補助容器貫通孔を閉じた状態で遊技機を設置することにより、収容容器で収容不能となった遊技媒体を、補助収容容器で溜めることができる。以上のようにして、遊技機を、自動回収システムが設けられた遊技場及び設けられていない遊技場のどちらであっても、遊技機に加工を施すことなく相互に転用して設置することができる。
【００１３】
（２）前記補助収容容器には、前記補助容器貫通孔を開いた状態で前記遮断部を固定する開状態固定部（例えば、後述の第２嵌合穴６５６ａ，６５６ｂ）と、前記補助容器貫通孔を閉じた状態で前記遮断部を固定する閉状態固定部（例えば、後述の第１嵌合穴６５５ａ，６５５ｂ）と、が設けられることを特徴とする（１）に記載の遊技機。
【００１４】
（２）記載の遊技機によれば、遮断部を開状態固定部で固定した状態にすることにより、遊技機を自動回収システムが設けられた遊技場に設置することができ、また、遮断部を閉状態固定部で固定した状態にすることにより、遊技機を自動回収システムが設けられていない遊技場に設置することができる。以上のようにして、遮断部を固定することにより、自動回収システムが設けられた遊技場及び設けられていない遊技場のどちらであっても、遊技機に加工を施すことなく容易に転用して設置することができる。
【００１５】
（３）前記遮断部は略板状であり、前記補助収容容器には、前記遮断部の一端部を回動可能に支持する支持部（例えば、後述のシャフト孔６５４ａ，６５４ｂ）が設けられることを特徴とする（１）又は（２）に記載の遊技機。
【００１６】
（３）記載の遊技機によれば、補助収容容器に設けられた支持部を回動軸として、遮断部を回動させることにより、補助容器貫通孔を開いた状態にしたり、閉じた状態にしたりできる。
【発明の効果】
【００１７】
本発明の遊技機によれば、例えば、自動回収システムが設けられた遊技場に遊技機を設置する場合には、補助容器貫通孔を開いた状態で遊技機を設置することにより、補助収容容器内の遊技媒体を、補助容器貫通孔及び筐体貫通孔を介して、自動回収システムにより回収させることができる。また例えば、自動回収システムが設けられていない遊技場に遊技機を設置する場合には、補助容器貫通孔を閉じた状態で遊技機を設置することにより、収容容器で収容不能となった遊技媒体を、補助収容容器で溜めることができる。以上のようにして、遊技機を、自動回収システムが設けられた遊技場及び設けられていない遊技場のどちらであっても、遊技機に加工を施すことなく相互に転用して設置することができる。
【発明を実施するための最良の形態】
【００１８】
本発明の一実施例について、図面を参照しながら説明する。
【００１９】
図１は、本発明の一実施例の遊技機１の外観を示す斜視図である。遊技機１は、いわゆる「パチスロ機」である。この遊技機１は、コイン、メダル、遊技球又はトークンなどの他、遊技者に付与された、もしくは付与される遊技価値の情報を記憶したカード等の遊技媒体を用いて遊技する遊技機であるが、以下ではメダルを用いるものとして説明する。
【００２０】
遊技機１の全体を形成している筐体４は、箱状のキャビネット６０と、このキャビネット６０を開閉する前面ドア２と、を備える。この前面ドア２の正面中央には、縦長矩形の表示窓４Ｌ，４Ｃ，４Ｒが設けられる。表示窓４Ｌ，４Ｃ，４Ｒには、表示ラインとして、水平方向にトップライン８ｂ、センターライン８ｃ及びボトムライン８ｄ、斜め方向にクロスアップライン８ａ及びクロスダウンライン８ｅが設けられている。
【００２１】
これらの表示ラインは、後述の１−ＢＥＴスイッチ１１、２−ＢＥＴスイッチ１２、最大ＢＥＴスイッチ１３を操作すること（以下「ＢＥＴ操作」という）、あるいはメダル投入口２２にメダルを投入することにより、それぞれ１本、３本、５本が有効化される。どの表示ラインが有効化されたかは、後で説明するＢＥＴランプ９ａ，９ｂ，９ｃの点灯で表示される。
【００２２】
ここで、表示ライン８ａ〜８ｅは、役の成否に関わる。具体的には、所定の役に対応する図柄組合せを構成する図柄がいずれかの有効ライン（有効化された表示ライン）に対応する所定の位置に並んで停止表示されることにより、所定の役が成立することとなる。
【００２３】
前面ドア２の裏面には、図柄表示手段としての複数のリール３Ｌ，３Ｃ，３Ｒと、これらリール３Ｌ，３Ｃ，３Ｒを回転駆動するステッピングモータと、を収容するリールユニット７３がミドルドア４０を介して取り付けられている（後述の図２参照）。なお、前面ドア２の裏面の構成については、後に図２を参照して詳述する。
【００２４】
各リール３Ｌ，３Ｃ，３Ｒには、それぞれの外周面に、遊技に必要な複数種類の図柄によって構成される識別情報としての図柄列が描かれており、各々はリールユニット７３に回転自在に横一列に設けられている。各リール３Ｌ，３Ｃ，３Ｒの図柄は表示窓４Ｌ，４Ｃ，４Ｒを通して、遊技機１の外部から視認できるようになっている。また、各リール３Ｌ，３Ｃ，３Ｒは、定速回転（例えば８０回転／分）で回転し、図柄列を変動表示する。
【００２５】
表示窓４Ｌ，４Ｃ，４Ｒの上方には、液晶表示部５ａ、情報表示部１８、及びスピーカ９Ｌ，９Ｒが設けられる。液晶表示部５ａは、表示窓４Ｌ，４Ｃ，４Ｒよりも大きな表示面を備え、画像表示による演出を行う。情報表示部１８は、７セグメントＬＥＤから成り、貯留（クレジット）されているメダルの枚数、メダルの払出枚数などを表示する。また、スピーカ９Ｌ，９Ｒは、効果音や音声等の音による演出を行う。
【００２６】
表示窓４Ｌ，４Ｃ，４Ｒの左側には、１−ＢＥＴランプ９ａ、２−ＢＥＴランプ９ｂ、最大ＢＥＴランプ９ｃが設けられる。１−ＢＥＴランプ９ａ、２−ＢＥＴランプ９ｂ及び最大ＢＥＴランプ９ｃは、一のゲームを行うために賭けられたメダルの数（以下「ＢＥＴ数」という）に応じて点灯する。
【００２７】
１−ＢＥＴランプ９ａは、ＢＥＴ数が“１”で１本の表示ラインが有効化されたとき（１本の有効ラインが設定されたとき）に点灯する。２−ＢＥＴランプ９ｂは、ＢＥＴ数が“２”で３本の表示ラインが有効化されたとき（３本の有効ラインが設定されたとき）に点灯する。最大ＢＥＴランプ９ｃは、ＢＥＴ数が“３”で全て（５本）の表示ラインが有効化されたとき（全て（５本）の有効ラインが設定されたとき）に点灯する。
【００２８】
表示窓４Ｌ，４Ｃ，４Ｒの下方には、略水平面の台座部１０が形成されている。この台座部１０の水平面内のうち、右側には遊技者がメダルを投入可能な遊技媒体受付部としてのメダル投入口２２が設けられ、左側には１−ＢＥＴスイッチ１１、２−ＢＥＴスイッチ１２、及び最大ＢＥＴスイッチ１３が設けられる。
【００２９】
１−ＢＥＴスイッチ１１は、１回の押し操作により、クレジットされているメダルのうちの１枚がゲームに賭けられ、２−ＢＥＴスイッチ１２は、１回の押し操作により、クレジットされているメダルのうちの２枚がゲームに賭けられ、最大ＢＥＴスイッチ１３は、１回のゲームに賭けることが可能な最大枚数のメダルが賭けられる。これらのＢＥＴスイッチ１１，１２，１３を操作することで、前述のとおり、所定の表示ラインが有効化される。
【００３０】
台座部１０の前面部の左寄りには、遊技者がゲームで獲得したメダルのクレジット／払い出しを押しボタン操作で切り換えるＣ／Ｐスイッチ１４が設けられている。このＣ／Ｐスイッチ１４の切り換えにより、正面下部のメダル払出口１５からメダルが払い出され、払い出されたメダルはメダル受け皿１６に溜められる。Ｃ／Ｐスイッチ１４の右側には、遊技者の開始操作により上記リールを回転させ、表示窓４Ｌ，４Ｃ，４Ｒ内での図柄の変動表示を開始するための開始操作手段としてのスタートレバー６が所定の角度範囲で回動自在に取り付けられている。
【００３１】
台座部１０の前面部の略中央には、遊技者が操作可能であり、３個のリール３Ｌ，３Ｃ，３Ｒの回転をそれぞれ停止させるための停止操作手段としての停止ボタン７Ｌ，７Ｃ，７Ｒが設けられている。なお、実施例では、一のゲーム（単位遊技）は、メダル投入口２２にメダルが投入されたこと、つまり、上述のようにしてメダルが賭けられたことを条件に、スタートレバー６が操作されることに応じて開始し、全てのリール３Ｌ，３Ｃ，３Ｒが停止したときに終了する。
【００３２】
本実施例では、全てのリールが回転しているときに行われるリールの停止操作（停止ボタンの操作）を「第１停止操作」、「第１停止操作」の後に行われる停止操作を「第２停止操作」、「第２停止操作」の後に行われる停止操作を「第３停止操作」という。
【００３３】
前面ドア２下部の正面には、メダルが払い出されるメダル払出口１５と、この払い出されたメダルを受け止める受け皿としてのメダル受け皿１６とが設けられている。また、前面ドア２下部の正面のうち、停止ボタン７Ｌ，７Ｃ，７Ｒとメダル受け皿１６とに上下を挟まれた面には、機種のモチーフに対応したデザインがあしらわれた腰部パネル２０が取り付けられている。
【００３４】
図２及び図３を参照して、筐体４の内部の構成、すなわち、前面ドア２の裏面の構成、及びキャビネット６０の内部の構成について説明する。
【００３５】
図２は、前面ドア２の裏面の構成を示す斜視図である。前面ドア２は、この前面ドア２の本体を形成する前面ドア本体２ｂと、この前面ドア本体２ｂの裏面に開閉可能に設けられたミドルドア４０と、を備える。
【００３６】
前面ドア本体２ｂの上部には、サブベース４２を介して副制御ユニット７２が設けられ、ミドルドア４０には、主制御ユニット７１及びリールユニット７３が設けられる。
【００３７】
サブベース４２は、板状の部材であり、前面ドア２に設けられた液晶表示部５ａの背面を覆うようにして、前面ドア本体２ｂの裏面に、複数のねじ４２１で取り付けられる。サブベース４２は、前面ドア２の裏面に対し略平行に取り付けられる。また、サブベース４２の表面のうち、液晶表示部５ａを覆う領域は、略平らに形成されている。
【００３８】
副制御ユニット７２は、液晶表示部５ａを制御する副制御回路７２１と、この副制御回路７２１を収容しサブベース４２の略平らに形成された領域に取り付けられる副制御回路収容ケース７２２と、液晶表示部５ａの画像表示に必要な画像情報が記憶されたＲＯＭカートリッジ７２３と、このＲＯＭカートリッジ７２３を覆うＲＯＭカバー７２４と、副制御回路７２１に接続される機器や基板を１箇所に集中させるＩ／Ｏ基板７２５と、を備える。
【００３９】
副制御回路７２１は、後述の主制御回路７１１から送信される信号に基づいて液晶表示部５ａを制御する電子回路である。すなわち、副制御回路７２１と液晶表示部５ａとは、サブベース４２を挟んで配置され、図示しない複数の配線で接続されている。このように、副制御回路７２１を液晶表示部５ａ裏面の近傍に設けることにより、これらの配線を短縮できる。
【００４０】
ミドルドア４０は、略矩形状の部材であり、図２中上部と下部とに分けられる。ミドルドア４０上部は、主制御ユニット７１を支持する主制御ユニットベース４０１であり、ミドルドア４０下部は、リールユニット７３を支持するリールユニットベース４０２である。
【００４１】
主制御ユニットベース４０１は、主制御ユニット７１を水平に支持する主制御ユニット支持部４０８と、主制御ユニット支持部４０８の上端に形成された後述のＲＯＭカバー７２４を覆うプレート４０４と、を備える。
【００４２】
リールユニットベース４０２は、リールユニット７３を支持するリールユニット支持部４０９と、このリールユニット支持部４０９の図２中左側の端縁に設けられたミドルドア把持部４０７と、リールユニット支持部４０９のミドルドア把持部４０７の反対側の端縁（図２中右側の端縁）に設けられた回動軸部（図示省略）と、を備える。前面ドア本体２ｂの裏面には、ミドルドア４０の回動軸部を回転自在に支持する支持部４３が設けられ、これにより、ミドルドア４０を開放可能となっている。
【００４３】
主制御ユニット７１は、副制御ユニット７２やリールユニット７３等を制御する主制御回路７１１と、この主制御回路７１１とリールユニット７３及び電源ユニット等とを電気的に接続する主制御コネクタ７１３と、主制御回路７１１を収容しミドルドア４０の主制御ユニット支持部４０８に取り付けられる主制御回路収容ケース７１２と、主制御コネクタ７１３を開閉自在に覆う主制御コネクタカバー７１４と、を備える。
【００４４】
図３は、筐体４内部の下部の構成を示す拡大斜視図である。具体的には、前面ドア２を開放した状態における、前面ドア２の裏面及びキャビネット６０の内部の構成を示す拡大斜視図である。
【００４５】
筐体４の下部のうち、前面ドア本体２ｂの下部には、メダル投入口２２から投入されたメダルを選別するセレクタ４７と、メダルをメダル受け皿１６に案内するキャンセルシュート５５が設けられている。また、筐体４の下部のうち、キャビネット６０の下部には、上述のリールユニット７３、主制御ユニット７１、及び副制御ユニット７２等の遊技機１を構成する装置に電力を供給する電源ユニット６６と、メダルを払い出す遊技媒体払出手段としてのホッパー６７が設けられている。
【００４６】
セレクタ４７は、前面ドア本体２ｂの裏面のうち、上述のメダル投入口２２と略対向する位置に設けられており、このメダル投入口２２から投入されたメダルは、セレクタ４７内部に導入される。セレクタ４７は、メダル投入口２２に投入されたメダルの形状等に基づいて、このメダルを、適正メダルと、不良メダルとに選別する。
【００４７】
また、セレクタ４７には、選別したメダルを外部に排出する適正メダル排出部４７１及び不良メダル排出部４７２が設けられている。セレクタ４７によって、適正メダルに選別されたメダルは、適正メダル排出部４７１からホッパー６７の後述のバケット６８に排出され、不良メダルに選別されたメダルは、不良メダル排出部４７２からキャンセルシュート５５に排出される。
【００４８】
ホッパー６７は、このホッパー６７の下部を構成する遊技媒体払出部としての基台６９と、この基台６９に連結されホッパー６７の上部を構成する収容容器としてのバケット６８と、を備え、キャビネット６０内部に載置されている。
【００４９】
バケット６８は、その上面が開放された収容容器であり、セレクタ４７の適正メダル排出部４７１から排出されたメダルを収容する。このバケット６８の底部には、円形の孔（図示せず）が形成されており、バケット６８は、この円形の孔を介して基台６９に連結されている。
【００５０】
このバケット６８の上端部のうち図３中右方の一部には、切欠部６８１が形成されていると共に、この切欠部６８１から下方に向かって傾斜する傾斜通路６８２が設けられている。これにより、バケット６８内において切欠部６８１の高さまで堆積したメダル、すなわち、バケット６８で収容不能となったメダルは、その自重により傾斜通路６８２を滑降し、傾斜通路６８２の下端の排出口６８３から排出される。また、キャビネット６０の底部６０１には、この排出口６８３から排出されたメダルを収納する補助収容容器としての補助収納庫６５が載置されている。この補助収納庫６５及びキャビネット６０の底部６０１の詳細な構成については、後に図４及び図５を参照して詳述する。
【００５１】
基台６９は、略立方体状の台座部６９１と、図示しないメダル排出機構と、を含んで構成される。メダル排出機構は、上述のバケット６８の底部に形成された孔と連結されており、バケット６８内に堆積したメダルから所定の枚数のメダルを、台座部６９１に設けられたメダル排出口６９４から、前面ドア２側へ払い出す。なお、このメダル排出機構は、主制御回路７１１に接続されたホッパー駆動回路４１（後述の図６参照）によって駆動される。これにより、ホッパー６７は、リール３Ｌ，３Ｃ，３Ｒにおいて停止表示された図柄の組合せに応じて所定の枚数のメダルを払い出す。
【００５２】
キャンセルシュート５５は、メダルをメダル受け皿１６に案内するシュート５６を備え、前面ドア本体２ｂの裏面のうち、セレクタ４７の下方に設けられる。シュート５６は、上下方向に延びる筒状の通路であり、その上端側は、セレクタ４７の不良メダル排出部４７２に対向する不良メダル導入口５６１となっており、その下端側は、上述のメダル払出口１５となっている。すなわち、セレクタ４７の不良メダル排出部４７２から排出されたメダルは、シュート５６内を通過して、メダル受け皿１６に落下する。
【００５３】
また、キャンセルシュート５５は、このシュート５６の他、さらに、ホッパー６７から払い出されたメダルをメダル受け皿１６に案内する払出通路５７を備える。払出通路５７は、上下方向に延びる筒状の通路であり、その上端側は、前面ドア２を閉じた状態でホッパー６７のメダル排出口６９４と対向する払出メダル導入口となっており、その下端側は、上述のシュート５６に連結されている。すなわち、ホッパー６７のメダル排出口６９４から払い出されたメダルは、払出通路５７を通過して、メダル受け皿１６に払い出される。
【００５４】
図４〜図６を参照して、補助収納庫６５及びキャビネット６０の底部６０１の構成について説明する。
【００５５】
図４は、補助収納庫６５及びこの補助収納庫６５が載置されるキャビネット６０の底部６０１の構成を示す斜視図である。補助収納庫６５は、略立方体状であり、その上面が開放されて複数枚のメダルを収納可能となっている。この補助収納庫６５の底部６５１には、この底部６５１を貫通しメダルを排出可能な略矩形状の補助容器貫通孔としての排出孔６５２が形成されていると共に、この排出孔６５２を開閉可能な遮断部としてのシャッタ６４が設けられている。
【００５６】
シャッタ６４は、略板状であり、補助収納庫６５の底部６５１と略同形となっている。このシャッタ６４の一端部にはシャッタ６４を補助収納庫６５に回動可能に取り付けるための第１シャフト６４１が設けられ、他端部にはシャッタ６４を補助収納庫６５に固定するための第２シャフト６４２が設けられている。
【００５７】
図５は、補助収納庫６５の背面側の構成を示す斜視図であり、図６は、補助収納庫６５の側面の構成を示す側面図である。図５に示すように、補助収納庫６５の両側部を構成する側板６５３ａ，６５３ｂの各々の隅部には、シャッタ６４の第１シャフト６４１を回動可能に支持する支持部としてのシャフト孔６５４ａ，６５４ｂが設けられている。シャッタ６４は、第１シャフト６４１の両端部を、それぞれシャフト孔６５４ａ，６５４ｂに挿入することにより、この第１シャフト６４１を軸として回動可能に設けられる。これにより、シャッタ６４を回動させて、補助収納庫６５の排出孔６５２を開閉することができる。
【００５８】
さらに、補助収納庫６５の側板６５３ａ，６５３ｂのうち、補助収納庫６５の底面側及び背面側には、それぞれ、第２シャフト６４２の両端部が嵌合する閉状態固定部としての第１嵌合穴６５５ａ，６５５ｂ及び開状態固定部としての第２嵌合穴６５６ａ，６５６ｂが設けられている。
【００５９】
これにより、図６に示すように、第２シャフト６４２の両端部を第１嵌合穴６５５ａ，６５５ｂに嵌合させて、排出孔６５２を閉じた状態でシャッタ６４を補助収納庫６５に固定できる。また、第２シャフト６４２の両端部を第２嵌合穴６５６ａ，６５６ｂに嵌合させて、排出孔６５２を開いた状態でシャッタ６４を補助収納庫６５に固定できる。
【００６０】
一方、図４に戻って、キャビネット６０の底部６０１には、この底部６０１を貫通する筐体貫通孔としての排出孔６０２が形成されている。この排出孔６０２の開口の形状は、上述の補助収納庫６５の排出孔６５２と略同形となっており、これによりメダルを筐体４の外部へ排出可能となっている。補助収納庫６５は、その排出孔６５２を、キャビネット６０の排出孔６０２と対向させた状態で、キャビネット６０内に載置される。
【００６１】
メダル自動回収システムが設けられた遊技場に遊技機１を設置する場合には、補助収納庫６５の排出孔６５２を開いた状態でシャッタ６４を固定し、この補助収納庫６５をキャビネット６０内に載置する。すると、補助収納庫６５の排出孔６５２と、キャビネット６０の排出孔６０２とは連通した状態となる。これにより、バケット６８の排出口６８３から排出されたメダルを、これら排出孔６５２，６０２から筐体４の外部に排出し、メダル自動回収システムにより回収させることができる。
【００６２】
一方、メダル自動回収システムが設けられていない遊技場に遊技機１を設置する場合には、補助収納庫６５の排出孔６５２を閉じた状態でシャッタ６４を固定し、この補助収納庫６５をキャビネット６０内に載置する。これにより、バケット６８の排出口６８３から排出されたメダルを、補助収納庫６５内に溜めることができる。
【００６３】
図７は、遊技機１における遊技処理動作を制御する主制御回路７１１と、主制御回路７１１に電気的に接続する周辺装置（アクチュエータ）と、主制御回路７１１から送信される制御指令に基づいて液晶表示部５ａ、スピーカ９Ｌ，９Ｒ、ＬＥＤ類１０１及びランプ類１０２を制御する副制御回路７２１とを含む回路構成を示すブロック図である。
【００６４】
主制御回路７１１は、回路基板上に配置されたマイクロコンピュータ３０を主たる構成要素とし、これに乱数サンプリングのための回路を加えて構成されている。マイクロコンピュータ３０は、予め設定されたプログラムに従って制御動作を行うＣＰＵ３１と、記憶手段であるＲＯＭ３２及びＲＡＭ３３を含む。
【００６５】
ＣＰＵ３１には、基準クロックパルスを発生するクロックパルス発生回路３４及び分周器３５と、サンプリングされる乱数を発生する乱数発生器３６及びサンプリング回路３７とが接続されている。尚、乱数サンプリングのための手段として、マイクロコンピュータ３０内で、すなわちＣＰＵ３１の動作プログラム上で、乱数サンプリングを実行するように構成してもよい。その場合、乱数発生器３６及びサンプリング回路３７は省略可能であり、あるいは、乱数サンプリング動作のバックアップ用として残しておくことも可能である。
【００６６】
マイクロコンピュータ３０のＲＯＭ３２には、スタートレバー６を操作（スタート操作）する毎に行われる乱数サンプリングの判定に用いられる内部抽籤テーブル、停止ボタン７Ｌ，７Ｃ，７Ｒの操作に応じてリールの停止態様を決定するための停止テーブル群、副制御回路７２１へ送信するための各種制御指令（コマンド）等が格納されている。副制御回路７２１が主制御回路７１１へコマンド、情報等を入力することはなく、主制御回路７１１から副制御回路７２１への一方向で通信が行われる。ＲＡＭ３３には、種々の情報が格納される。例えば、フラグ、内部当籤役、持越役、現在の遊技状態の情報等が格納される。
【００６７】
図７の回路において、マイクロコンピュータ３０からの制御信号により動作が制御される主要なアクチュエータとしては、ＢＥＴランプ（１−ＢＥＴランプ９ａ、２−ＢＥＴランプ９ｂ、最大ＢＥＴランプ９ｃ）と、情報表示部１８と、メダルを収納し、ホッパー駆動回路４１の命令により所定枚数のメダルを払い出すホッパー６７と、リール３Ｌ，３Ｃ，３Ｒを回転駆動するステッピングモータ４９Ｌ，４９Ｃ，４９Ｒと、がある。
【００６８】
また、ステッピングモータ４９Ｌ，４９Ｃ，４９Ｒを駆動制御するモータ駆動回路３９、ホッパー６７を駆動制御するホッパー駆動回路４１、ＢＥＴランプ９ａ，９ｂ，９ｃを駆動制御するランプ駆動回路４５、及び情報表示部１８を駆動制御する表示部駆動回路６１がＣＰＵ３１の出力部に接続されている。これらの駆動回路は、それぞれＣＰＵ３１から出力される駆動指令等の制御信号を受けて、各アクチュエータの動作を制御する。
【００６９】
また、マイクロコンピュータ３０が制御指令を発生するために必要な入力信号を発生する主な入力信号発生手段としては、スタートスイッチ６Ｓ、１−ＢＥＴスイッチ１１、２−ＢＥＴスイッチ１２、最大ＢＥＴスイッチ１３、Ｃ／Ｐスイッチ１４、メダルセンサ２２Ｓ、リール停止信号回路４６、リール位置検出回路５０、払出完了信号回路５１がある。
【００７０】
スタートスイッチ６Ｓは、スタートレバー６の操作を検出し、遊技開始指令信号を出力する。メダルセンサ２２Ｓは、メダル投入口２２に投入されたメダルを検出する。リール停止信号回路４６は、遊技者による各停止ボタン７Ｌ，７Ｃ，７Ｒの操作に応じて停止信号（停止指令信号）を発生する。リール位置検出回路５０は、リール回転センサからのパルス信号を受けて各リール３Ｌ，３Ｃ，３Ｒの位置を検出するための信号をＣＰＵ３１へ供給する。払出完了信号回路５１は、メダル検出部４０Ｓの計数値（ホッパー６７から払い出されたメダルの枚数）が指定された枚数データに達した時、メダル払出完了を検知するための信号を発生する。
【００７１】
図７の回路において、乱数発生器３６は、一定の数値範囲に属する乱数を発生し、サンプリング回路３７は、スタートレバー６が操作された後の適宜のタイミングで１個の乱数をサンプリングする。こうしてサンプリングされた乱数を使用することにより、例えばＲＯＭ３２内に格納されている内部抽籤テーブル等に基づいて内部当籤役等が決定される。内部当籤役（内部当籤役データ）は、その内部当籤役に対応する停止制御の態様等を介して、対応する図柄組合せと遊技者に付与される利益とが間接的に対応付けられているといえる。
【００７２】
リール３Ｌ，３Ｃ，３Ｒの回転が開始された後、ステッピングモータ４９Ｌ，４９Ｃ，４９Ｒの各々に供給される駆動パルスの数が計数され、その計数値はＲＡＭ３３の所定エリアに書き込まれる。リール３Ｌ，３Ｃ，３Ｒからは一回転毎にリセットパルスが得られ、これらのパルスはリール位置検出回路５０を介してＣＰＵ３１に入力される。こうして得られたリセットパルスにより、ＲＡＭ３３で計数されている駆動パルスの計数値が“０”にクリアされる。これにより、ＲＡＭ３３内には、各リール３Ｌ，３Ｃ，３Ｒについて一回転の範囲内における回転位置に対応した計数値が格納される。
【００７３】
上記のようなリール３Ｌ，３Ｃ，３Ｒの回転位置とリール外周面上に描かれた図柄とを対応づけるために、図柄テーブル（図示せず）が、ＲＯＭ３２内に格納されている。この図柄テーブルでは、前述したリセットパルスが発生する回転位置を基準として、各リール３Ｌ，３Ｃ，３Ｒの一定の回転ピッチ毎に順次付与されるコードナンバーと、それぞれのコードナンバー毎に対応して設けられた図柄を示す図柄コードとが対応づけられている。
【００７４】
さらに、ＲＯＭ３２内には、図柄組合せテーブルが格納されている。この図柄組合せテーブルでは、役に対応する図柄の組合せと、図柄の組合せに対応するメダル配当枚数と、その判定コードとが対応づけられている。上記の図柄組合せテーブルは、左のリール３Ｌ、中央のリール３Ｃ、右のリール３Ｒの停止制御時、及び全リール３Ｌ，３Ｃ，３Ｒの停止後の表示役の確認を行う場合に参照される。表示役は、表示ラインに沿って並ぶ図柄組合せに対応する役（成立役）である。
【００７５】
上記乱数サンプリングに基づく抽籤処理（内部抽籤処理等）に基づいて、ＣＰＵ３１は、遊技者が停止ボタン７Ｌ，７Ｃ，７Ｒを操作したタイミングでリール停止信号回路４６から送られる停止信号、及び選択された停止テーブルに基づいて、リール３Ｌ，３Ｃ，３Ｒを停止制御する信号をモータ駆動回路３９に送り、リール３Ｌ，３Ｃ，３Ｒの変動表示を停止表示させる。
【００７６】
当籤した役を示す停止態様となれば、ＣＰＵ３１は、払出指令信号をホッパー駆動回路４１に供給してホッパー６７から所定個数のメダルの払い出を行う。その際、メダル検出部４０Ｓは、ホッパー６７から払い出されるメダルの枚数を計数し、その計数値が指定された数に達した時に、メダル払出完了信号がＣＰＵ３１に入力される。これにより、ＣＰＵ３１は、ホッパー駆動回路４１を介してホッパー６７の駆動を停止し、メダル払出処理を終了する。
【００７７】
本発明の一実施例の遊技機１によれば、以下の効果がある。
【００７８】
（１）補助収納庫６５の底部６５１に、この底部６５１を貫通しメダルを排出可能な排出孔６５２を形成すると共に、この排出孔６５２を開閉するシャッタ６４を設けた。例えば、メダル自動回収システムが設けられた遊技場に遊技機１を設置する場合には、排出孔６５２を開いた状態で遊技機１を設置することにより、補助収納庫６５内のメダルを、補助収納庫６５の排出孔６５２及びキャビネット６０の排出孔６０２を介して、メダル自動回収システムにより回収させることができる。また例えば、メダル自動回収システムが設けられていない遊技場に遊技機１を設置する場合には、排出孔６５２を閉じた状態で遊技機１を設置することにより、バケット６８で収容不能となったメダルを、補助収納庫６５で溜めることができる。以上のようにして、遊技機１を、メダル自動回収システムが設けられた遊技場及び設けられていない遊技場のどちらであっても、遊技機１に加工を施すことなく相互に転用して設置することができる。
【００７９】
（２）シャッタ６４を第２嵌合穴６５６ａ，６５６ｂで固定した状態にすることにより、遊技機１をメダル自動回収システムが設けられた遊技場に設置することができ、また、シャッタ６４を第１嵌合穴６５５ａ，６５５ｂで固定した状態にすることにより、遊技機１をメダル自動回収システムが設けられていない遊技場に設置することができる。以上のようにして、シャッタ６４を固定することにより、メダル自動回収システムが設けられた遊技場及び設けられていない遊技場のどちらであっても、遊技機１に加工を施すことなく容易に転用して設置することができる。
【００８０】
（３）補助収納庫６５に設けられたシャフト孔６５４ａ，６５４ｂを回動軸として、シャッタ６４を回動させることにより、補助収納庫６５の排出孔６５２を開いた状態にしたり、閉じた状態にしたりできる。
【００８１】
以上、本発明の一実施例について説明したが、本発明はこれに限られるものではない。
【００８２】
上記実施例では、補助収納庫６５の排出孔６５２を開閉する遮断部として、補助収納庫６５の底部６５１に扉状のシャッタ６４を設けたが、これに限らない。例えば、遮断部としては、伸縮可能に形成された引き戸状のシャッタを設けてもよい。つまり、このシャッタが伸びた状態では排出孔６５２が閉じられ、シャッタが縮んだ状態では排出孔が開放されるようにしてもよい。
【図面の簡単な説明】
【００８３】
【図１】本発明の一実施例の遊技機の外観を示す斜視図である。
【図２】前面ドアの裏面の構成を示す斜視図である。
【図３】前面ドア及びキャビネット内部の構成を示す斜視図である。
【図４】補助収納庫及びこの補助収納庫が載置されるキャビネットの底部の構成を示す斜視図である。
【図５】補助収納この背面側の構成を示す斜視図である。
【図６】補助収納この側面の構成を示す側面図である。
【図７】回路構成を示すブロック図である。
【符号の説明】
【００８４】
１    遊技機
２    前面ドア
２ｂ    前面ドア本体
３Ｌ，３Ｃ，３Ｒ    リール
４    筐体
７Ｌ，７Ｃ，７Ｒ    停止ボタン（操作手段）
６０    キャビネット
６０１    キャビネットの底部
６０２    排出孔（筐体貫通孔）
６４    シャッタ（遮断部）
６４１    第１シャフト
６４２    第２シャフト
６５    補助収納庫（補助収容容器）
６５１    補助収納庫の底部
６５２    排出孔（補助容器貫通孔）
６５３ａ，６５３ｂ    側板
６５４ａ，６５４ｂ    シャフト孔（支持部）
６５５ａ，６５５ｂ    第１嵌合穴（閉状態固定部）
６５６ａ，６５６ｂ    第２嵌合穴（開状態固定部）
６７    ホッパー（遊技媒体払出手段）
６８    バケット（収容容器）
６９    基台（遊技媒体払出部）
７１    主制御ユニット
７１１    主制御回路（開始制御手段、停止制御手段）
【図１】
2008264436.tif 000003
【図２】
2008264436.tif 000004
【図３】
2008264436.tif 000005
【図４】
2008264436.tif 000006
【図５】
2008264436.tif 000007
【図６】
2008264436.tif 000008
【図７】
2008264436.tif 000009